(57)【要約】【課題】  意匠性と安全性を兼ね備えた化粧外壁材を提供することを目的とする。【解決手段】化粧外壁材１は、化粧面１ａに複数の凹凸を有する板状の外壁材であって、凹凸の凹みを形成する凹溝１１と、凹溝１１の底面から化粧外壁材１の外側方向へ突出する複数の凸部１２と、建造物の床面Ｆに対して略平行に形成され、且つ、凹溝１１の底面から化粧外壁材１の外側方向へ突出する１以上の突起部１３と、を備え、複数の凸部１２は、凹溝１１の底面から突出する距離が略同一であり、突起部１３の先端は、凸部１２の先端よりも１０ｍｍ以上化粧外壁材１の外側に位置し、突起部１３は、建造物の床面Ｆから建造物の床面Ｆに最も近接する突起部１３の下端までの距離を６５０ｍｍ以上空けて設置される。【選択図】図１
2019085873.tif 000002
【特許請求の範囲】
【請求項１】
化粧面に水平方向へ延びる一定パターンの複数の凹凸を垂直方向へ繰り返し連続させ、平板状、及び前記化粧面を出隅とする平面視Ｌ型状に形成したそれぞれの化粧外壁材を、組み合わせて屋外に面して設置する外壁構造であって、
前記化粧外壁材は、前記凹凸の凹みを形成する凹溝と、
前記凹溝の底面から前記化粧外壁材の外側方向へ突出する複数の凸部と、
前記凹溝の底面から前記化粧外壁材の外側方向へ突出し、上面を略水平、且つ、建造物の床面に対して略平行に形成される突起部と、を備え、
複数の前記凸部は、前記凹溝の底面から突出する距離が略同一であり、
前記突起部の先端は、前記凸部の先端よりも１０ｍｍ以上前記化粧外壁材の外側に位置し、
前記突起部は、下端から前記建造物の床面までの距離が６５０ｍｍ以上となる高さ位置に配置されることを特徴とする外壁構造。
【請求項２】
前記化粧外壁材は、前記凹溝及び前記凸部のみを有する第１化粧材と、前記凹溝及び前記突起部を有する第２化粧材と、を並べて配置することにより形成されることを特徴とする請求項１に記載の外壁構造。
【請求項３】
前記第１化粧材及び前記第２化粧材は、それぞれの高さを３００ｍｍ〜３３０ｍｍ程度で形成されることを特徴とする請求項２に記載の外壁構造。
【請求項４】
前記化粧外壁材は、バルコニーに面して設置されることを特徴とする請求項１から請求項３のいずれかに記載の外壁構造。
【発明の詳細な説明】
【技術分野】
【０００１】
本発明は、化粧面に複数の凹凸模様を形成する板状の化粧外壁材を備える外壁構造に関する。
【背景技術】
【０００２】
従来より、建造物の屋外に面して設置される外壁材であって、化粧面に複数の凹凸模様を形成して変化に富んだ意匠とする外壁材が提案されている。
【０００３】
例えば、特許文献１の発明では、外壁材等として使用される建築板の表面に高さの異なる複数の凸条部を不規則に設けて面白味のある意匠としている。
【０００４】
また、特許文献２の発明では、表面にエンボス柄を備えた板片によって形成される建物壁面の出隅部分の外装材ついて記載されている。この発明では、板片の表面に複数本形成されるエンボス柄の凸条及び凹溝の形状を、それぞれ異ならせて意匠性を高めている。
【先行技術文献】
【特許文献】
【０００５】
【特許文献１】特開２００２−３５６９７４
【特許文献２】特開２００５−３３６９１９
【発明の概要】
【発明が解決しようとする課題】
【０００６】
しかしながら、特許文献１及び特許文献２の発明では、外壁材の表面に施された複数の凹凸形状をそれぞれ異ならせて形成し、外壁に陰影をつけることにより意匠性を向上させているが、例えば、２階以上のバルコニーに面する外壁面や腰壁状の手摺に部分的に大きく突起する凸条を設けた場合、凸条が足掛かりとなって子供が外壁や手摺によじ登り転落事故を誘引する虞がある。またこのような問題から、通常、バルコニーに面する外壁面や腰壁状の手摺には、大きく突出する凸条を備えた外装材は使用されず、建物全体を見渡した際に、面白みに欠ける建物外観となることが多かった。
【０００７】
そこで、本発明は、上述した課題を鑑みてなされたものであって、意匠性と安全性を兼ね備えた外壁構造を提供することを目的とする。
【課題を解決するための手段】
【０００８】
本発明の第１の外壁構造は、化粧面に水平方向へ延びる一定パターンの複数の凹凸を垂直方向へ繰り返し連続させ、平板状、及び前記化粧面を出隅とする平面視Ｌ型状に形成したそれぞれの化粧外壁材を、組み合わせて屋外に面して設置する外壁構造であって、前記化粧外壁材は、前記凹凸の凹みを形成する凹溝と、前記凹溝の底面から前記化粧外壁材の外側方向へ突出する複数の凸部と、前記凹溝の底面から前記化粧外壁材の外側方向へ突出し、上面を略水平、且つ、建造物の床面に対して略平行に形成される突起部と、を備え、複数の前記凸部は、前記凹溝の底面から突出する距離が略同一であり、前記突起部の先端は、前記凸部の先端よりも１０ｍｍ以上前記化粧外壁材の外側に位置し、前記突起部は、下端から前記建造物の床面までの距離が６５０ｍｍ以上となる高さ位置に配置されることを特徴としている。
【０００９】
本発明の第２の外壁構造は、前記化粧外壁材が、前記凹溝及び前記凸部のみを有する第１化粧材と、前記凹溝及び前記突起部を有する第２化粧材と、を並べて配置することにより形成されることを特徴としている。
【００１０】
本発明の第３の外壁構造は、前記第１化粧材及び前記第２化粧材が、それぞれの高さを３００ｍｍ〜３３０ｍｍ程度で形成されることを特徴としている。
【００１１】
本発明の第４の外壁構造は、前記化粧外壁材が、バルコニーに面して設置されることを特徴としている。
【発明の効果】
【００１２】
本発明の外壁構造によると、突起部の先端は、凸部の先端よりも１０ｍｍ以上化粧外壁材の外側に位置しているので、凸部よりも大きく突起した突起部が外壁のアクセントとなり、建物全体を見渡した際に外壁材の横方向を強調する変化に富んだ外観とすることができる。また、建造物の床面から突起部の下端までの距離を、一般財団法人ベターリビングの「墜落防止手すりの評価基準」に設定されている幼児の足掛かりとなる最高高さ６５０ｍｍ以上としているので、バルコニー廻りの外壁や腰壁状の手摺に使用しても突起部が幼児の足掛かりとなって外壁材をよじ登ることはなく、転落事故を防止することができる。したがって、意匠性と安全性を兼ね備えた建物外観を構築することができる。
【００１３】
本発明の外壁構造によると、化粧外壁材は、凹溝及び凸部のみを有する第１化粧材と、凹溝及び突起部を有する第２化粧材と、を並べて配置することにより形成されるので、状況に応じて第１化粧材と第２化粧材の設置位置を細かく調整することができる。したがって、幼児の足掛かりとなる高さには、安全性を考慮して凹溝及び凸部のみを有する第１化粧材を設置し、それ以外の箇所には、意匠のバランスを考慮して突起部を備えた第２化粧材と突起部を有しない第１化粧材とを組み合わせて配置することができ、安全性と意匠性を兼ね備えた外壁面を構築することができる。
【００１４】
本発明の外壁構造によると、化粧外壁材は、化粧面を出隅とする平面視Ｌ型の役物形状であるので、外壁の出隅や独立柱に使用することができ、意匠性の高い建物外壁や外部柱を形成することができる。
【００１５】
本発明の外壁構造によると、第１から第３に記載の化粧外壁材を備えているので、バルコニーに面する外壁や腰壁手摺、柱などに設置した場合に、安全性と意匠性を兼ね備えたバルコニー空間を構築することができる。
【図面の簡単な説明】
【００１６】
【図１】化粧外壁材を示す斜視図。
【図２】化粧外壁材を示す部分断面図。
【図３】第１化粧材及び第２化粧材を示す斜視図。
【図４】平面視Ｌ型形状の化粧外壁材を示す斜視図。
【図５】平面視Ｌ型形状の第１化粧材及び第２化粧材を示す斜視図。
【図６】バルコニー廻りを示す平面図。
【図７】図６のＡ−Ａ断面図。
【図８】図６のＢ−Ｂ断面図。
【発明を実施するための形態】
【００１７】
以下、化粧外壁材１の最良の実施形態について各図を参照しつつ説明する。なお、本願の化粧外壁材１は、主にバルコニーや外廊下に面する外壁、腰壁、外部柱などの外装材として使用される。化粧外壁材１は、図１に示すように、化粧面１ａに複数の凹凸を有する板状の外壁材であって、凹凸の凹みを形成する凹溝１１と、凹溝１１の底面から化粧外壁材１の外側方向へ突出する複数の凸部１２と、建造物の床面Ｆに対して略平行に形成され、且つ、凹溝１１の底面から化粧外壁材１の外側方向へ突出する少なくとも１以上の突起部１３と、を備えている。
【００１８】
化粧外壁材１の材質は、工場で成型されたコンクリート系板である。これらのコンクリート系板は、硬化前のコンクリート系材料を所定の型枠に流し込み硬化させて成型される。したがって、型枠の形状を調整することにより化粧外壁材１の一部分に厚みを持たせたり、逆に化粧面１ａを部分的に削り取ったような模様を付加することができる。また、型枠の化粧面１ａに当たる部分に石目や木目などを模した凹凸を付加しておけば、より化粧外壁材１の意匠性を向上させることができる。
【００１９】
このように成型される化粧外壁材１の複数の凹凸は、図２に示すように、意匠性を向上させるために凹溝１１、凸部１２及び突起部１３の形状を少しずつ異なるように形成されている。複数の凸部１２の凹溝１１の底面からの距離Ｌ１は、略同一となるように形成されており、平均して８ｍｍ〜１０ｍｍ程度である。凹溝１１の底面から突起部１３の先端までの距離Ｌ２は、平均して２０ｍｍ程度である。したがって、距離Ｌ１は距離Ｌ２よりも短く、突起部１３の先端は、凸部１２の先端よりも１０ｍｍ以上化粧外壁材１の外側に位置している。
【００２０】
化粧外壁材１は、図示しない建物の躯体に固定設置される。このとき、突起部１３は、図１に示すように、建造物の床面Ｆから建造物の床面Ｆに最も近接する突起部１３の下端までの距離Ｈ１を６５０ｍｍ以上空けて設置される。この距離Ｈ３の数値は、一般財団法人ベターリビングの「墜落防止手すりの評価基準」に設定されている幼児の足掛かりとなる最高高さである。このような配置にすることによって、突起部１３が幼児の足掛かりとなることはなく、幼児が化粧外壁材１をよじ登って転落するなどの事故を防止することができる。なお、図１では、凸部１２は建造物の床面Ｆに対して略平行に設けられているが、その模様の方向は特に限定されることはなく、建造物の床面Ｆ対して直交あるいは傾斜していてもよい。
【００２１】
化粧外壁材１は、以上のように１つの部材から形成されてもよいが、図３に示すように、凹溝１１及び凸部１２のみを有する第１化粧材２と、凹溝１１及び凸部１２、突起部１３を有する第２化粧材３と、を並べて配置することにより形成されてもよい。このように、化粧外壁材１を分割することによって、状況に応じて化粧外壁材１の意匠を細かく変更することが可能となる。すなわち、幼児の足掛かりとなる高さには、安全性を考慮して凹溝１１及び凸部１２のみを有する第１化粧材２を設置し、それ以外の箇所には、意匠のバランスを考慮して突起部１３を備えた第２化粧材３と突起部１３を有しない第１化粧材２とを組み合わせて配置することができ、安全性と意匠性を兼ね備えた外壁面を構築することができる。なお、本願において、「凹溝１１及び凸部１２のみを有する」とは、化粧面１ａにおいて、凹溝１１と凸部１２を有し、且つ、突出部１３を有しないことを指す。
【００２２】
第２化粧材３は、必ずしも凸部１２を有する必要はなく、状況に応じて凹溝１１及び突起部１３のみを有するように形成されてもよい。また、化粧外壁材１を第１化粧材２及び第２化粧材３に分割した場合においても、突起部１３の先端と凸部１２の先端との位置関係や突起部１３と建造物の床面Ｆとの高さ関係は、先述した内容と同様とすることができる。
【００２３】
図３に示される第１化粧材２の高さＨ２及び第２化粧材３の高さＨ３は、特に限定されないが、３００ｍｍ〜３３０ｍｍ程度で形成される。このような寸法であれば、各化粧材の位置を調整しやすく、安全性に配慮できるとともに変化に富んだ意匠を容易に構築することができる。また、各化粧材が万が一欠損した場合に、部分的な化粧材の差し替えが行いやすくメンテナンス性を向上することができる。
【００２４】
化粧外壁材１は、図４に示すように、化粧面１ａを出隅とする平面視Ｌ型の役物形状とすることができる。このような形状とすることによって、意匠性に優れた独立柱や外壁の出隅を構成することができる。また、図５に示すように、化粧外壁材１を凹溝１１及び凸部１２のみを有する第１化粧材２１と凹溝１１及び凸部１２、突起部１３を有する第２化粧材３１に分割してもよい。なお、平面視Ｌ型の化粧外壁材１においても、突起部１３の先端と凸部１２の先端との位置関係や突起部１３と建造物の床面Ｆとの高さ関係は、先述した内容と同様とすることができる。
【００２５】
次に、以上説明した化粧外壁材１を備えるバルコニー廻りの外壁構造４について説明する。図６から図８に示すように、バルコニー５の廻りには、腰壁状に形成された腰壁手摺６、独立して立設する外部柱７、建物本体に配置される建物外壁８が配置されており、建物外壁８は外壁の出隅である外壁出隅部８ａを有し、腰壁手摺６は腰壁の出隅である腰壁出隅部６ａを有している。また、腰壁手摺６、外部柱７及び建物外壁８は、図７及び図８に示すように、それぞれ屋外に面する表面に化粧外壁材１を設置しており、また図示しないが、外壁出隅部８ａ及び腰壁出隅部６ａには、それぞれ平面視Ｌ型形状の化粧外壁材１が設置されている。なお、図６から図８は、バルコニー廻りの配置の一例を示すものであって、その構成は特に限定されない。
【００２６】
先述したように、化粧外壁材１は、建造物の床面Ｆから突起部１３の下端までの距離を高さ６５０ｍｍ以上となるように配置されるので、突起部１３を備える化粧外壁材１を屋外に面する腰壁手摺６、外部柱７及び建物外壁８に設置しても幼児が化粧外壁材１をよじ登ることはなく、転落事故を防止することができる。したがって、安全性に考慮したうえで意匠性の高いバルコニー空間を構築することが可能となる。
【００２７】
また、化粧外壁材１は、第１化粧材２、２１と第２化粧材３、３１とに分割されてもよいため、意匠性や安全性を考慮して各化粧材の配置を細かく調整することができる。したがって、建物外観のアクセントとなる第２化粧材３、３１の突起部１３を幼児の足掛かりとなる高さを避けて配置したうえで、建物全体の意匠のバランスを考慮して第１化粧材２、２１と第２化粧材３、３１の組み合わせに工夫を加えることができる。
【００２８】
また、本発明の実施の形態は上述の形態に限ることなく、本発明の思想の範囲を逸脱しない範囲で適宜変更することができることは云うまでもない。
【産業上の利用可能性】
【００２９】
本発明に係る化粧外壁材及びバルコニー廻りの外壁構造は、バルコニーや外廊下を有する建物に対して好適に使用することが出来る。
【符号の説明】
【００３０】
１        化粧外壁材
１ａ      外表面
１１      凹溝
１２      凸部
１３      突起部
２、２１  第１化粧材
３、３１  第２化粧材
４        バルコニー廻りの外壁構造
【図１】
2019085873.tif 000003
【図２】
2019085873.tif 000004
【図３】
2019085873.tif 000005
【図４】
2019085873.tif 000006
【図５】
2019085873.tif 000007
【図６】
2019085873.tif 000008
【図７】
2019085873.tif 000009
【図８】
2019085873.tif 000010